(57)【特許請求の範囲】
【請求項１】
リライタブルＤＶＤを回転させ、記録されたＢＣＡ信号を含むＲＦ信号を読み取り、リライタブルＤＶＤの一回転毎に閾値を変化させ、前記閾値に基づいて二値化し、前記二値化された電気信号のパルス数を前記閾値毎に計数し、各閾値に対するパルス数の変化より前記ＢＣＡ信号の最高値（ＩＢＭｍａｘ．）および前記ＢＣＡ信号以外のＲＦ信号の最高値（ＩＢＲｍａｘ．），最低値（ＩＢＳｍｉｎ．）並びに平均値（ＩＢＳ）を求め、これらの各値が、
ＩＢＭｍａｘ．／ＩＢＳｍｉｎ．≦０．８
ＩＢＲｍａｘ．／ＩＢＳ        ≦１．５
を満足しているかを判断し、満足している場合には規格通りの記録品質でＢＣＡが追記されていると評価すること
を特徴とするリライタブルＤＶＤのＢＣＡ信号評価方法。
【発明の詳細な説明】
【０００１】
【発明の属する技術分野】
本発明は、リライタブルＤＶＤに追記され、内容に関する暗号やシリアル番号などを表わす信号であるＢＣＡ信号の記録品質を測定・評価するためのリライタブルＤＶＤのＢＣＡ信号評価方法に関するものである。
【０００２】
【従来の技術】
従来、リライタブルＤＶＤに追記されたＢＣＡ信号の記録品質を測定・評価する方法の１つとして、図２に示すような構成で評価する方法が採用されていた。図２において、１はリライタブルＤＶＤ、２はリライタブルＤＶＤ１をチャックする構成を備えたシャフト、３はシャフト２を回転させ、リライタブルＤＶＤを回転させるモータ、５はリライタブルＤＶＤ１からの信号取得手段、６は信号取得手段５からのＲＦ信号であるアナログ電気信号用フィルタ、１３は信号観測手段であり、信号取得手段５からのＲＦ信号を取り出し、信号観測手段１３を用いて、リライタブルＤＶＤ１に追記されたＢＣＡ信号を含む全ＲＦ信号波形に対して信号の絶対値が全て規格を満たしているかを目で見て判断していた。
【０００３】
【発明が解決しようとする課題】
しかしながら、上記のようにリライタブルＤＶＤの１周で最大４０００本程度、平均でも２０００本程度あるＢＣＡ信号の全てが規格を満たしているかどうかを評価し、かつ二値化する際にＢＣＡ信号を確実に取り出さなければならず、見落としや読み違いによる評価の信頼性の問題や、評価時間がかかりかつ手間もかかるという問題がある。
【０００４】
本発明は、上記従来の問題点に鑑み、リライタブルＤＶＤ１に追記されたＢＣＡ信号を含むＲＦ信号の規格が信号レベルの相対的な比較によるものであることに着目し、ＢＣＡ信号を含むＲＦ信号を全て相対的に評価することで、より高速・高精度にＢＣＡ信号の記録品質を評価する方法を提供することを目的とする。
【０００５】
【課題を解決するための手段】
本発明のリライタブルＤＶＤのＢＣＡ信号評価方法は、リライタブルＤＶＤを回転させ、記録されたＢＣＡ信号を含むＲＦ信号を読み取り、リライタブルＤＶＤの一回転毎に閾値を変化させ、前記閾値に基づいて二値化し、前記二値化された電気信号のパルス数を前記閾値毎に計数し、各閾値に対するパルス数の変化より前記ＢＣＡ信号の最高値（ＩＢＭｍａｘ．）および前記ＢＣＡ信号以外のＲＦ信号の最高値（ＩＢＲｍａｘ．），最低値（ＩＢＳｍｉｎ．）並びに平均値（ＩＢＳ）を求め、これらの各値が、
ＩＢＭｍａｘ．／ＩＢＳｍｉｎ．≦０．８
ＩＢＲｍａｘ．／ＩＢＳ        ≦１．５
を満足しているかを判断し、満足している場合には規格通りの記録品質でＢＣＡが追記されていると評価することを特徴とするものである。
【０００６】
本発明によれば、ＢＣＡ信号の記録品質評価を、リライタブルＤＶＤから読み取られたＢＣＡ信号を含むＲＦ信号を、閾値を変換させながら各閾値に基づいて二値化し、パルス数を計数する事により行うため、評価が確実に、かつ高速・高精度に行えることとなる。
【０００７】
【発明の実施の形態】
本発明の請求項１に記載の発明は、リライタブルＤＶＤを回転させ、記録されたＢＣＡ信号を含むＲＦ信号を読み取り、リライタブルＤＶＤの一回転毎に閾値を変化させ、前記閾値に基づいて二値化し、前記二値化された電気信号のパルス数を前記閾値毎に計数し、各閾値に対するパルス数の変化より前記ＢＣＡ信号の最高値（ＩＢＭｍａｘ．）および前記ＢＣＡ信号以外のＲＦ信号の最高値（ＩＢＲｍａｘ．），最低値（ＩＢＳｍｉｎ．）並びに平均値（ＩＢＳ）を求め、これらの各値が、
ＩＢＭｍａｘ．／ＩＢＳｍｉｎ．≦０．８
ＩＢＲｍａｘ．／ＩＢＳ        ≦１．５
を満足しているかを判断し、満足している場合には規格通りの記録品質でＢＣＡが追記されていると評価するものであり、リライタブルＤＶＤに追記されたＢＣＡ信号を含むＲＦ信号の特性を相対的に評価することによりＢＣＡ信号の評価をおこなうため、ＲＦ信号から評価に必要な特徴が全て抽出できることとなり、ＢＣＡ信号の記録品質の評価が確実に、かつ高速・高精度に行える。
【０００８】
以下、本発明のリライタブルＤＶＤに追記されたＢＣＡ信号の電気的特性の方法であるリライタブルＤＶＤのＢＣＡ信号評価方法の一実施形態について、図１、図３、図４を参照して説明する。
【０００９】
なお、図２に示す、従来技術の構成と同一の構成要素については同一番号を付して説明する。
【００１０】
図１は本発明の一実施形態におけるリライタブルＤＶＤのＢＣＡ信号評価方法を実施するための構成図であり、リライタブルＤＶＤ１がチャック機能を有したシャフト２に保持され、シャフト２の回転を検知するエンコーダ４が取り付けられたモータ３で回転されるようになっている。リライタブルＤＶＤ１に記録された情報を読みとり電気信号に変換して出力する信号取得手段５からの出力信号はフィルタ６によって電気的にフィルタリングされ、二値化しきい値電圧指令手段１０により指令されて二値化しきい値電圧出力手段１１から出力されたしきい値電圧を基に二値化手段７によって二値化される。この二値化されたパルスの数がパルス数計数手段８によって計数され、計数されたパルス数をパルス数出力手段９が出力する。
【００１１】
以上の構成において、図３に示すように分布するＢＣＡを含むＲＦ信号に対し二値化しきい値電圧指令手段１０によってしきい値電圧を順次変化させると、ＢＣＡを含むＲＦ信号が二値化手段７によって二値化されパルス数計数手段８によって計数されるパルス数が図４に示すように特徴的に変化する。
【００１２】
ここでしきい値電圧を順次変化させるとは図３で表わされるグラフの横軸に平行線を引き、信号レベルを表わす曲線との交点を計数しながらこの平行線の位置を一回転毎に、縦軸上の各信号レベル毎に順次変化させていくことを意味する。そしてこのパルス数計数手段８により計数されたパルス数は、エンコーダ４からの信号により、一回転毎に即ちしきい値電圧を変化させるたびにリセットできる様になっている。
【００１３】
図３において下方に突出した図形はＢＣＡ信号であることを表わし、ＩＢＭｍｉｎ．・ＩＢＭｍａｘ．・ＩＢＳｍｉｎ．・ＩＢＳ・ＩＢＲｍａｘ．はそれぞれ以下の値であることを意味している。
【００１４】
ＩＢＭｍｉｎ．  ：  フィルタ後のＲＦ信号の中のＢＣＡ信号の最低値
ＩＢＭｍａｘ．  ：  フィルタ後のＲＦ信号の中のＢＣＡ信号の最高値
ＩＢＳｍｉｎ．  ：  フィルタ後のＲＦ信号の中のＢＣＡでない信号の最低値
ＩＢＳ          ：  フィルタ後のＲＦ信号の中のＢＣＡでない信号の平均値
ＩＢＲｍａｘ．  ：  フィルタ後のＲＦ信号の中のＢＣＡでない信号の最高値
図４に示す図形の特徴的な変化からＩＢＭｍｉｎ．・ＩＢＭｍａｘ．・ＩＢＳｍｉｎ．・ＩＢＳ・ＩＢＲｍａｘ．の値が求められるため、下記（１）、（２）式に示す様な各値の関係を満足しなければならないと定められた規格通りにＢＣＡの信号が取得できているかどうか、つまり規格通りの記録品質でＢＣＡが追記されているかどうかを確実にかつ高速・高精度に評価することができる。
【００１５】
ＩＢＭｍａｘ．／ＩＢＳｍｉｎ．≦０．８・・・・・（１）
ＩＢＲｍａｘ．／ＩＢＳ        ≦１．５・・・・・（２）
【００１６】
【発明の効果】
本発明によれば、リライタブルＤＶＤから取得されたＲＦ信号を可変の二値化しきい値電圧により二値化し、その二値化された電気信号のパルス数が二値化しきい値電圧の変化に伴って特徴的に変化することよりＢＣＡ信号の評価のための数値が全て抽出できこれらの数値の相対な比較により評価できるため、従来、ディスクが一周する間に取得できるＢＣＡを含む全てのＲＦ信号波形に亘って絶対値的に評価していたのに対し、確実かつ高速・高精度に評価できるようになる。
【図面の簡単な説明】
【図１】本発明の一実施形態のリライタブルＤＶＤのＢＣＡの信号評価方法を示す構成図
【図２】従来のリライタブルＤＶＤのＢＣＡの信号評価方法を示す構成図
【図３】リライタブルＤＶＤに追記されたＢＣＡ信号を含むＲＦ信号の回転位置に対する信号レベルを示す図
【図４】しきい値電圧の変化に対する二値化された電気信号のパルス数の変化を示す図
【符号の説明】
１    リライタブルＤＶＤ
５    信号取得手段
７    電気信号二値化手段
８    パルス数計数手段
１０  二値化しきい値電圧指令手段
１１  二値化しきい値電圧出力手段
【図１】
0003812326.tif 000002
【図２】
0003812326.tif 000003
【図３】
0003812326.tif 000004
【図４】
0003812326.tif 000005